(57)【特許請求の範囲】
【請求項１】
給紙ローラと、給紙ローラに接触する分離パッドと、分離パッドを給紙ローラに押圧する弾性部材を備え、給紙ローラと分離パッドと給紙される用紙間との各摩擦係数の違いにより用紙を１枚ずつ分離給紙するように構成された用紙分離給紙装置において、
前記弾性部材をコイルばねとし、このコイルばねの長手方向を、前記分離パッドを保持するホルダの外周を跨がせて弾接させ、コイルばねにより前記分離パッドに押圧力を与えるようにし、さらに前記コイルばねの長手方向の内部に、この内部の内側面に接触するように棒状ばねを延在させたことを特徴とする用紙分離給紙装置。
【請求項２】
前記コイルばねを、前記ホルダに対して中央部分が突出し、かつ引張り状態で前記ホルダの外周に添うように接触させたことを特徴とする請求項１記載の用紙分離給紙装置。
【請求項３】
前記棒状ばねを、前記コイルばねの長手方向における両端部および略中央部において接触押圧するように設置したことを特徴とする請求項２記載の用紙分離給紙装置。
【発明の詳細な説明】
【０００１】
【発明の属する技術分野】
本発明は、複写機，ファクシミリ装置、あるいはそれらの機能を有する複合機に適用され、原稿，記録紙などを１枚ずつ分離給紙する用紙分離給紙装置に関する。
【０００２】
【従来の技術】
図４は従来の用紙分離給紙装置の一例の概略構成図であり、１は給紙ローラ、２は給紙ローラ１に弾接する分離パッド、３は下側部で分離パッド２を保持するホルダ、４は、ホルダ３を介して分離パッド２に対し、給紙ローラ１に弾接させる付勢力を与える加圧軸、５は用紙Ｐが積載セットされる用紙テーブル、６は用紙テーブル５の下部に設置されて用紙Ｐの最下位のものに接触している導入ローラである。
【０００３】
図４において、用紙テーブル５にセットされた用紙Ｐは、給紙時、導入ローラ６の反時計方向への回転により、下位の用紙Ｐから捌かれるようにして給紙方向ａへ送られ、給紙ローラ１と分離パッド２におけるニップＮに対して用紙Ｐが重送された場合に、給紙ローラ１側の用紙Ｐから分離給紙され、用紙Ｐが１枚ずつ分離給紙されるようになっている。
【０００４】
すなわち、図４に示す用紙分離給紙装置では、公知のように給紙ローラ１と用紙Ｐ，分離パッド２と用紙Ｐ，用紙Ｐ同士における摩擦係数をそれぞれ異ならせ、それらの摩擦係数において給紙ローラ１と用紙Ｐ間の摩擦係数が最も大きくなるように設定して、用紙重送時に給紙ローラ１側の最下位の用紙Ｐのみが給紙方向ａへ給紙される構成になっている。
【０００５】
【発明が解決しようとする課題】
前記従来の分離パッド２を用いて重送時における分離給紙を行う構成のものでは、給紙時に分離パッド２と用紙Ｐとが当接したとき、あるいは給紙ローラ１と分離パッド２とが直接接触したとき、摩擦抵抗により分離パッド２がスティック・アンド・スリップを繰り返して振動を引き起こし、いわゆる分離パッド鳴きという異音（騒音）を発生させ、さらに前記振動が他部位に伝達して共鳴して、その部位でも異音を発生させることがある。
【０００６】
前記異音の発生を防止するため、例えば特開２０００−８５９９８号公報に記載された発明では、図４に示す構造のものと同様の原稿自動分離装置において、加圧軸４にゴムなどの共振防止部材を設ける構成を採用しているが、加圧軸の構造によっては異音発生を防止するための対策として充分ではない。
【０００７】
本発明の目的は、分離パッドを用いて重送時における分離給紙を行う構成の用紙分離給紙装置であり、かつ分離パッドを給紙ローラに押圧する部材としてコイルばねを用いた構成であっても、従来の分離給紙時における振動，共鳴などによる異音の発生を防止することができる用紙分離給紙装置を提供するものである。
【０００８】
【課題を解決するための手段】
前記目的を達成するため、請求項１記載の発明は、給紙ローラと、給紙ローラに接触する分離パッドと、分離パッドを給紙ローラに押圧する弾性部材を備え、給紙ローラと分離パッドと給紙される用紙間との各摩擦係数の違いにより用紙を１枚ずつ分離給紙するように構成された用紙分離給紙装置において、前記弾性部材をコイルばねとし、このコイルばねの長手方向を、前記分離パッドを保持するホルダの外周を跨がせて弾接させ、コイルばねにより前記分離パッドに押圧力を与えるようにし、さらに前記コイルばねの長手方向の内部に、この内部の内側面に接触するように棒状ばねを延在させたことを特徴とし、この構成によって、コイルばねの長手方向略全域で分離パッドに押圧力を確実かつ安定して与えることが可能になり、しかも、分離給紙時のコイルばねに共振が発生しても、固有振動数の異なる棒状ばねによりコイルばねの内周部を押圧することにより、共振点がずれて共振を抑制することができ、装置の静粛性を高めることができる。
【０００９】
請求項２記載の発明は、請求項１記載の用紙分離給紙装置において、コイルばねを、ホルダに対して中央部分が突出し、かつ引張り状態でホルダの外周に添うように接触させたことを特徴とし、この構成によって、コイルばねの長手方向全域で分離パッドに下方向の押圧力を確実かつ安定して与えることが可能になる。
【００１０】
請求項３記載の発明は、請求項２記載の用紙分離給紙装置において、棒状ばねを、コイルばねの長手方向における両端部および略中央部において接触押圧するように設置したことを特徴とし、この構成によって、コイルばねの長手方向における要所において共振の抑制作用が生じ、装置の静粛性をより確実に高めることができる。
【００１１】
【発明の実施の形態】
以下、本発明の好適な実施形態について図面を参照しながら説明する。
【００１２】
図１は本発明の実施形態を説明するための分離給紙装置を搭載した原稿読取装置の構成を示す一部断面正面図であり、１は給紙ローラ、２は給紙ローラ１に弾接する分離パッド、３は、端部が回動可能に軸３ａにより軸支され、下側部で分離パッド２を保持するホルダ、５は原稿Ｄが積載セットされる用紙テーブル、６は用紙テーブル５の下部に設置されて最下位の原稿Ｄに接触している導入ローラ、７は原稿読取センサ、８，９は原稿読取センサ７における給紙方向ａの上流側と下流側に設置された搬送ローラである。
【００１３】
図２は分離給紙部を図１におけるＡ矢示方向からみた状態の一部断面側面図であり、給紙ローラ１，分離パッド２，ホルダ３などからなる分離給紙部において、１０は、長手方向の下周部がホルダ３における山形状の上部に添って跨るように弾接し、かつ外側方向Ｂへ引張り状態で架設されて、ホルダ３を下圧（矢印Ｃ方向）して分離パッド２を給紙ローラ１に押圧する付勢力を与える弾性部材としてのコイルばね、１１はコイルばね１０内部の長手方向に延在するように挿入された棒状ばねであって、棒状ばね１１は、図３に示すように、コイルばね１０の両端部１０ａ、および略中央部１０ｂにおいて接触して、コイルばね１０を矢印Ｆ方向に押圧している。コイルばね１０と棒状ばね１１の端部は、図示しないが装置本体の適所に固定されている。
【００１４】
図１において、用紙テーブル５にセットされた原稿Ｄは、給紙時、導入ローラ６の反時計方向への回転により、下位の原稿Ｄから捌かれるようにして給紙方向ａへ送られ、給紙ローラ１と分離パッド２におけるニップＮに対して原稿Ｄが重送された場合に、給紙ローラ１側の原稿Ｄから分離給紙され、原稿Ｄが１枚ずつ分離給紙されるようになっている。
【００１５】
すなわち、分離パッド２にはホルダ３を介してコイルばね１０の長手方向の略全域から付勢力が下圧され、分離パッド２は給紙ローラ１あるいは原稿Ｄに対して弾接している。このように、本実施形態では、コイルばね１０の長手方向全域で分離パッド２に対して下方向の押圧力を確実かつ安定して与えており、図４に示す用紙分離給紙装置と同様に、給紙ローラ１と原稿Ｄ，分離パッド２と原稿Ｄ，原稿Ｄ同士における摩擦係数がそれぞれ異なり、かつそれらの摩擦係数において給紙ローラ１と原稿Ｄ間の摩擦係数が最も大きくなるように設定してあり、用紙重送時に給紙ローラ１側の最下位の原稿Ｄのみが給紙方向ａへ給紙される構成になっている。
【００１６】
そして、給紙方向ａへ送られた原稿Ｄは、搬送ローラ８，９により原稿読取センサ７に所定の速度で送られ、原稿読取センサ７の読取位置において原稿情報が読み取られた後、装置外部へ排出される。
【００１７】
前記給紙動作中において、原稿Ｄの種類、あるいは原稿Ｄの給紙速度などによっては、給紙時に、分離パッド２が原稿Ｄに当接したり、あるいは原稿Ｄのないときに分離パッド２が給紙ローラ１に当接して擦れることにより、分離パッド２にスティック・アンド・スリップが繰り返して起って分離パッド２が振動し、その振動がホルダ３に伝わり、ホルダ３からコイルばね１０を経て、コイルばね１０を保持する図示しない装置本体の支持部材などに伝達され、それらにおいて振動，共鳴を引き起こし、異音（騒音）等の不具合を発生させる場合がある。
【００１８】
本実施形態では、前記のような分離パッド２の振動がホルダ３，コイルばね１０に伝わってコイルばね１０を共振させてしまったときでも、固有振動数の違う棒状ばね１１がコイルばね１０の内部を押圧しているため、コイルばね１０の共振点が実質的にずれることになって共振を収めるようにすることができる。よって、従来のように振動，共鳴による異音（騒音）等の発生を抑制することができ、装置の静粛性を高めることができる。
【００１９】
なお、本実施形態では、棒状ばね１１を、コイルばね１０の長手方向における両端部１０ａおよび略中央部１０ｂの数箇所において接触押圧するようにしているが、勿論、仕様によっては１箇所のみに接触押圧するようにしてもよい。しかし、本実施形態のように、数箇所において接触押圧させることによって、共振の抑制作用が効果的に働き、装置の静粛性をより確実に高めることができる。
【００２０】
【発明の効果】
以上説明したように、本発明によれば、コイルばねの長手方向略全域で分離パッドに対して押圧力を確実かつ安定して与えることが可能になり、しかも、分離給紙時のコイルばねに共振が発生しても、棒状ばねがコイルばねの内周部を押圧することにより、共振点がずれて共振を抑制することができ、静粛性に優れた用紙分離給紙装置を提供することができる。
【図面の簡単な説明】
【図１】本発明の実施形態を説明するための分離給紙装置を搭載した原稿読取装置の構成を示す一部断面正面図
【図２】本実施形態における分離給紙部を図１におけるＡ矢示方向からみた状態の一部断面側面図
【図３】本実施形態における棒状ばねとコイルばねの押圧関係を説明する説明図
【図４】従来の用紙分離給紙装置の一例の概略構成図
【符号の説明】
１  給紙ローラ
２  分離パッド
３  ホルダ
６  導入ローラ
１０  コイルばね
１０ａ  コイルばねの両端部
１０ｂ  コイルばねの略中央部
１１  棒状ばね
【図１】
0003766265.tif 000002
【図２】
0003766265.tif 000003
【図３】
0003766265.tif 000004
【図４】
0003766265.tif 000005